(57)【要約】【課題】ワイヤレスヘッドホンにおいて、簡単な方法により、無線信号の送受信機能に悪影響を与えることなく、静電対策を必要とせずに、また、操作部の操作感や強度を増強することができる金属膜による装飾を付加することを目的とする。【解決手段】耳に当接するイヤーパッドと、オーディオ信号を出力するドライバーと、アンテナを備え外部の装置と無線により通信が可能な機能を有する送受信部と、操作部と、ドライバー、送受信部及び操作部を備え、イヤーパットを保持するドライバーユニットを備えるワイヤレスヘッドホンにおいて、ドライバーユニットのイヤーパッドが保持されている面と反対側の面に薄膜の金属膜を蒸着により形成する。【選択図】      図１
2013132004.tif 000002
【特許請求の範囲】
【請求項１】
耳に当接するイヤーパッドと、オーディオ信号を出力するドライバーと、アンテナを備え外部の装置と無線により通信が可能な機能を有する送受信部と、操作部と、前記ドライバー、前記送受信部及び前記操作部を備え、前記イヤーパットを保持する前記ドライバーユニットを備えるワイヤレスヘッドホンにおいて、前記ドライバーユニットの前記イヤーパッドが保持されている面と反対側の面に薄膜の金属膜を蒸着により形成することを特徴とするワイヤレスヘッドホン。
【請求項２】
請求項１記載のワイヤレスヘッドホンにおいて、前記金属膜は、操作部の表面に形成されていることを特徴とするワイヤレスヘッドホン。
【請求項３】
請求項１記載のワイヤレスヘッドホンにおいて、ＵＶ(ultraviolet)塗料を併用することを特徴とするワイヤレスヘッドホン。
【発明の詳細な説明】
【技術分野】
【０００１】
本発明は、ワイヤレスヘッドホンに関する。
【背景技術】
【０００２】
近年、オーディオ信号を無線により送信可能な送信装置が、ヘッドホンに無線によりオーディオ信号を送信し、それを受信したヘッドホンがオーディオ信号を再生するワイヤレスヘッドホンが存在する。そのようなワイヤレスヘッドホンが、特許文献１及び特許文献２に開示されている。
【０００３】
特許文献１又は特許文献２に開示されているワイヤレスヘッドホンは、従来のヘッドホンのようなコードがないため、使用する際にコードの引き回しが煩わしい、コードが衣類又は人間の動作の邪魔になることなく、使い勝手が良い。また、従来のヘッドホンは、コードをプレーヤに接続して使用するため、人間の動作によりコードがプレーヤから外れるということもあるが、ワイヤレスヘッドホンの場合、コードを気にする必要がないため、使い勝手が良い。また、ワイヤレスヘッドホンは、コードがないため、見た目のデザインもシンプルでよい。
【先行技術文献】
【特許文献】
【０００４】
【特許文献１】特開２００１−５４１８４
【０００５】
【特許文献２】特開２００７−６０７４
【発明の開示】
【発明が解決しようとする課題】
【０００６】
図３は、ワイヤレスヘッドホンのヘッドホンドライバーの概略構成を説明する図である。
ワイヤレスヘッドホンは、図３に示す左右の耳に装着する２つのヘッドホンドライバー１０と、２つのヘッドホンドライバー１０を連結すると共に頭部にワイヤレスヘッドホンを保持するためのバンド(図示せず)がある。ワイヤレスヘッドホンは、各社からいろいろなヘッドホンが販売されているが、その外観は比較的似ており、他のヘッドホンを区別するための外観上の特徴としては、ヘッドホンドライバー１０のデザインが最も特徴的となる。
【０００７】
ワイヤレスヘッドホンのデザインの差別化のため、ヘッドホンドライバー１０にアルミ等の金属膜により装飾を施した場合、その金属膜が電波信号をシールドするため、電波放射障害が発生するという問題がある。
【０００８】
すなわち、ヘッドホンドライバー１０は、図３に示すとおり、耳に接触するイヤーパット４０と、ドライバー５０等を備えるドライバーユニット３０からなる。ドライバーユニット３０の内部には、オーディオ信号を出力するドライバー５０、アンテナ機能を備え、無線により信号を送受信する送受信部６０を備える。
【０００９】
このドライバーユニット３０の外側面の表面に、装飾用のアルミ等の金属膜をメッキや真空蒸着により施した場合、この金属膜が導体のため、送受信部６０のアンテナをシールドする状態となり、無線信号に対して電波放射障害が生じる。
【００１０】
また、このようなヘッドホンドライバーに、無線機能のON/OFFの操作やオーディオ信号再生・停止の操作のための操作部７０を備えたものもある。その操作部７０の表面に装飾用の金属膜を施した場合、ワイヤレスヘッドホンの使用者が操作部７０を操作することにより、静電気が金属膜に帯電し、その静電気によりヘッドホンドライバー１０の内部の送受信部６０、或いは、その他の電気回路に悪影響を及ぼす。
【００１１】
また、ワイヤレスヘッドホンは、耳に柔らかい素材のイヤーパッド４０を介して接触し、また、頭部にバンド(図示せず)が接触し、頭部に保持される。ワイヤレスヘッドホンは、やわらかいイヤーパッド４０とバンドとにより頭部に保持されるため、ワイヤレスヘッドホンの頭部への装着力が弱い。ワイヤレスヘッドホンのドライバーユニット３０に操作部７０が備えられている場合、使用者は、その操作部７０をしっかり操作するため、比較的、強い力で操作することがある。操作部７０がジョクダイヤル等の回転操作を行う操作部７０であり、操作部７０が樹脂のみで作られている場合、指が操作部７０を滑り、しっかりとした操作感が得られないことがある。また、しっかりとした操作感を得るために、使用者が操作部７０を強い力で操作した場合、操作部７０の破損につながることがある。
【００１２】
さらに、頭部に装着するワイヤレスヘッドホンは、重量も軽い方が適している。前述のような電波障害を解消する方法も、回路を複雑にしたり、或いは、回路を増やすことなく、簡単な方法で、かつ、コスト高にならない方法により対処することが望まれる。
【００１３】
本発明は、ワイヤレスヘッドホンにおいて、簡単な方法により、無線信号の送受信機能に悪影響を与えることなく、静電対策を必要とせずに金属膜の装飾を付加することができ、また、操作部の操作感や強度を増強することができる金属膜による装飾を付加することを目的とする。
【課題を解決するための手段】
【００１４】
前述した課題を解決するため、本願発明は、耳に当接するイヤーパッドと、オーディオ信号を出力するドライバーと、アンテナを備え外部の装置と無線により通信が可能な機能を有する送受信部と、操作部と、ドライバー、送受信部及び操作部を備え、イヤーパットを保持するドライバーユニットを備えるワイヤレスヘッドホンにおいて、ドライバーユニットのイヤーパッドが保持されている面と反対側の面に薄膜の金属膜を蒸着により形成することを特徴とする。
【００１５】
請求項１記載のワイヤレスヘッドホンにおいて、金属薄膜は、操作部の表面に形成されていることを特徴とする。
【００１６】
請求項１記載のワイヤレスヘッドホンにおいて、ＵＶ(ultraviolet)塗料を併用することを特徴とする。
【発明の効果】
【００１７】
本発明によれば、ワイヤレスヘッドホンにおいて、簡単な方法により、無線信号の受信機能に悪影響を与えることなく、静電対策を必要とせずに金属膜による装飾を増えすることができる。また、操作部の操作感や強度を増強することができる金属膜による装飾を付加することができる。
【図面の簡単な説明】
【００１８】
【図１】本発明のワイヤレスヘッドホンの一実施形態を説明する概略構成図。
【図２】本実施例のワイヤレスヘッドホンの金属膜を説明する図。
【図３】従来のワイヤレスヘッドホンの概略構成を説明する図。
【発明を実施するための最良の形態】
【００１９】
図1は、本発明のワイヤレスヘッドホンの一実施形態の概略構成を示す図である。図１（ａ）は、本実施形態のワイヤレスヘッドホンの側面図であり、図１（ｂ）は、本実施形態のワイヤレスヘッドホンの断面を説明する図である。
ワイヤレスヘッドホンは、左右両耳用の２つのヘッドホンドライバー１０(図１においては、一方のみを図示)と、２つのヘッドホンドライバー１０を保持するバンド２０を備える。ヘッドホンドライバー１０は、ドライバーユニット３０、イヤーパッド４０を備える。イヤーパッド４０は耳に接触し、バンド２０は頭部に接触し、ワイヤレスヘッドホンが頭部に保持される。
【００２０】
ドライバーユニット３０は、ドライバー５０、送受信部６０、操作部７０を備える。ドライバー５０は、後述する送受信部６０から供給されるオーディオ信号に基づいて振動板(図示せず)が振動し、音響信号を出力する。
【００２１】
送受信部６０は、アンテナ(図示せず)と無線機能を有する電気回路(図示せず)を有し、外部の装置との間で無線信号を送受信する。送受信部６０は、例えば、Bluetooth（登録商標）機能を備える回路である。送受信部６０は、外部の装置との間で送受信した電波信号に基づいて、電波信号をオーディオ信号に変換し、当該オーディオ信号をドライバー５０に供給する。ドライバー５０は、送受信部６０から入力されたオーディオ信号に基づいて音響信号を出力する。
【００２２】
また、トライバーユニット３０は、イヤーパッド４０が設置されている面と反対側の面に操作部７０を備える。操作部７０は、例えば、送受信部６０の無線機能のON/OFF、受信感度等の調整、或いは、オーディオ信号の再生・停止等の操作を行うための操作部７０である。
【００２３】
なお、操作部７０は、ワイヤレスヘッドホンの２つのヘッドホンドライバー１０のそれぞれに備えられていても、一方のみに備えられていてもよい。但し、ワイヤレスヘッドホンの装着感の低下を防止するため、２つのヘッドホンドライバー１０のうち一方のヘッドホンドライバー１０のみに備える場合には、２つのヘッドホンドライバー１０の重量をほぼ等しくする必要がある。
【００２４】
図２は、本実施形態におけるワイヤレスヘッドホンの金属膜を説明するための図である。図２（ａ）は、本実施形態のワイヤレスヘッドホンの金属膜を示す図であり、図２（ｂ）は、本実施形態のワイヤレスヘッドホンの金属膜を拡大した状態を示す図である。
操作部７０の表面には、すず、金、ニッケル等の金属を蒸着により薄膜の金属膜８０が形成される。具体的には、金属膜８０は、図２（ａ）に示すとおり、ドライバーユニット３０の操作部７０の上面に形成される。金属膜８０は、金属の材料を薄膜になるように蒸着により形成し、図２（ｂ）に示すとおり、金属の蒸着原子９０がまばらに積層される状態で形成される。
【００２５】
ヘッドホンドライバー１０の表面或いは操作部７０の表面に、薄膜の金属膜８０を蒸着により形成することにより、その金属膜の金属特融の光沢により表面が金属的な仕上がりになり、外観のデザイン性が格段によくなる。
【００２６】
また、蒸着原子９０の積層状態は、蒸着原子９０同士が接触している部分と、蒸着原子９０が接触しておらず、すきま１００の部分とが存在する。蒸着原子９０が接触している部分は導電するが、すきま１００の部分は導電しないため、金属膜８０に電波が入射した場合、電波がすきま１００を通過する。
【００２７】
金属膜をメッキ等により形成した場合、金属の原子同士が密接に接触し合うため、このようなすきま１００が存在せず、金属膜に電波が入射した場合、金属膜が電波を反射するため、電波障害が発生する。しかし、薄膜の金属膜を蒸着により形成した場合、電波が通過するすきまが存在するため、電波を遮断することなく、格段に電波の通過率が高い。このことより、送受信部６０に近接して金属膜８０を形成した場合でも、金属膜８０によるシールド効果がないため、電波障害を起こすことがない。
【００２８】
具体的には、Bluetooth（登録商標）を利用した送信機と受信機のうち、金属膜をメッキした受信機と金属膜を薄膜で蒸着した受信機とをそれぞれ送信機から２０ｍ離して配置し、電波の受信状態を確認した場合、金属膜をメッキした受信機は１０ｍ離れると電波障害が発生するが、金属膜を薄膜で蒸着した受信機は、２０ｍ離れた状態でも電波障害が生じなかった。
【００２９】
すなわち、メッキの金属膜の場合は、金属膜が電波を遮断し、電波障害が生じるが、金属膜を薄膜で蒸着した場合は、電波を遮断することないため、電波障害が発生しない。このことからも、電波障害を起こすことなく、送受信部に近接して、ヘッドホンドライバー１０の表面或いは操作部７０の表面に金属膜を薄膜で蒸着することにより形成することができる。
【００３０】
また、金属膜を薄膜で蒸着した場合、すきま１００を電気が通過することにより、静電気を帯電することがないため、ドライバーユニット３０の内部に備えられている電気回路（例えば、送受信部６０）に悪影響を及ぼすことがない。
【００３１】
具体的には、ドライバーユニット３０に操作部７０を備えているヘッドホンドライバー１０の場合、使用者が操作部７０を操作することにより、使用者が有する静電気が操作部７０に流れ、その静電気が孔を有さない金属膜に帯電し、そのことによりヘッドホンドライバー内の電気回路に悪影響を及ぼす。しかし、すきま１００を有する薄膜の金属膜８０の場合には、静電気が孔を通過することにより、金属膜８０に静電気が帯電しないため、電気回路への静電気による悪影響がない。
【００３２】
また、ワイヤレスヘッドホンに静電気対策を施す必要がないため、ワイヤレスヘッドホンの製造工程に静電対策のための工程を追加する必要がなく、また、静電気対策のためのコストの増加もない。
【００３３】
また、操作部の表面に複数の孔が形成された模様又は網の目状の模様の金属膜８０を施した場合、金属膜８０の方が樹脂を指で操作した場合より滑りが少ないため、操作感が良い。
【００３４】
特に、ヘッドホンドライバー１０は、大きくても全長で１０ｃｍ以下程度の大きさであることから、狭い範囲に操作部７０を備えることになり、操作するボタンの大きさ、或いは、操作範囲も小さくなる。そのような場合、しっかりとした操作感が必要となり、操作部７０の表面に金属膜８０を施すことにより操作性が向上する。特にジョグダイヤル等の回転操作をする操作部７０の場合、樹脂の操作部より金属膜８０の操作部の方が操作性の良さが顕著に現れる。
【００３５】
また、操作部７０の表面に金属膜８０を施すことにより、操作部７０の強度を強化することができ、操作部７０の破損を防止することができる。
【００３６】
また、操作部７０の表面に金属膜８０を形成する際、金属膜８０の表面にＵＶ塗料を塗布することにより、金属膜８０の表面に印刷される操作内容を示す印刷等を保護し、指での操作による印刷の摩耗を防止することができる。
【００３７】
以上のように、本発明のワイヤレスヘッドホンにおいては、操作部の表面に、薄膜の金属膜を蒸着により形成することにより、高級感のある金属的なデザインの装飾を施すことができるとともに、電波障害を防止することができ、静電対策を施す必要がない。また、操作部の操作性を向上させると共に、操作部の強度を増加させ、操作部の印刷を保護することができる。
【００３８】
なお、前述した実施例では、操作部の表面に金属膜を形成するとしたが、ドライバーユニットの外面に金属膜を形成するようにしてもよい。この場合であっても、送受信部の電波障害の防止や静電気の対策の効果が得られる。
【産業上の利用可能性】
【００３９】
本発明は、ワイヤレスヘッドホンに有用に用いることができる。
【符号の説明】
【００４０】
１０・・・ヘッドホンドライバー
２０・・・バンド
３０・・・ドライバーユニット
４０・・・イヤーパッド
５０・・・ドライバー
６０・・・送受信部
７０・・・操作部
８０・・・金属膜
９０・・・蒸着原子
１００・・・すきま
【図１】
2013132004.tif 000003
【図２】
2013132004.tif 000004
【図３】
2013132004.tif 000005